(57)【特許請求の範囲】
【請求項１】
本体の挿入孔に差し込まれた拘束位置と、抜け出した非拘束位置との間を抜き差し自在で、拘束位置において前記本体内に位置する係合凹部を外周に具備するロックバーと、
拘束位置にある前記ロックバーの係合凹部にロータが交差するように前記本体に組み込まれ、施錠位置において前記係合凹部に係合して前記ロックバーを拘束し、解錠位置においてこれを解放する錠機構と、
前記錠機構に対して施錠位置のみにおいて抜き差し可能で、施錠位置において前記錠機構に挿入してロータを施錠位置と解錠位置との間で回転操作可能なキーと、
前記ロックバーを非拘束位置へ付勢するように前記本体の挿入孔内に設けられた付勢機構とを具備するバーロック装置において、
前記ロックバーを拘束位置に仮保持して片手で前記キーによる施解錠操作を可能とする仮止め機構をさらに具備し、
前記仮止め機構は、拘束位置において前記本体内に位置するように前記ロックバーの外周に設けられた仮止め凹部と、
拘束位置において前記ロックバーの仮止め凹部に係合して当該ロックバーを拘束する係合位置とこれを解放する非係合位置との間を移動自在で、拘束位置において前記仮止め凹部に自動係合するように付勢されて前記本体内に組み込まれたストッパ部材と、
外方端部が前記本体から突出した常時位置と、当該本体内へ押し込まれた動作位置との間を移動自在で、内方端部が前記ストッパ部材に当接し、動作位置への押し込み操作により前記ストッパ部材を非係合位置へ移動させるように前記本体に組み込まれた解除操作部材とを具備することを特徴とするバーロック装置。
【発明の詳細な説明】
【技術分野】
【０００１】
本発明は、本体に抜き差し自在に挿入されるロックバーと、このロックバーを本体から抜き取り不能に拘束する錠機構とを具備し、ロックバーと錠機構のキーが相互に拘束し合うインタロックを構成するバーロック装置に関する。
【背景技術】
【０００２】
従来、ロックバーと錠機構のキーが相互に拘束し合うインタロックを構成するバーロック装置として、特許文献１に記載されたものが知られている。この装置は、本体と、本体に差し込まれるロックバーとを具備する。本体には、錠機構が組み込まれる。錠機構は、ロータがロックバーに一部交叉するように配置される。錠機構を操作するキーは、解錠位置でロータに抜け止めされ、施錠位置でロックバーを拘束して抜き取り可能となる。本体には、ロックバーを押し出す方向に付勢する付勢機構が組み込まれる。
【先行技術文献】
【特許文献】
【０００３】
【特許文献１】実開昭６１−７１７６２号公報
【発明の概要】
【発明が解決しようとする課題】
【０００４】
上記従来のバーロック装置においては、ロックバーを本体に差し込んで施錠する際に、ロックバーを一方の手で拘束位置に押し込んだまま、他方の手でキーによる施錠操作をしなければならず、また解錠時にも、ロックバーの飛び出しを抑制するために、一方の手でこれを保持する必要がある。このため、片手で施解錠操作が行えるバーロック装置が求められている。
したがって、本発明は、片手で施解錠操作が行えるバーロック装置を提供することを課題とする。
【課題を解決するための手段】
【０００５】
上記課題を解決するための、本発明のバーロック装置１は、ロックバー４を拘束位置に仮保持して片手でキー８による施解錠操作を可能とする仮止め機構１０を具備する。仮止め機構１０は、ロックバー４の外周に設けられた仮止め凹部１１と、拘束位置でこの仮止め凹部１１に係合してロックバー４を拘束するように本体２内に組み込まれたストッパ部材１２と、ストッパ部材１２による拘束を解除するように本体２に組み込まれた解除操作部材１３とを含む。ストッパ部材１２は、係合位置と非係合位置との間を移動自在で、係合位置に付勢され、拘束位置にあるロックバー４の仮止め凹部１１に自動的に係合し、非係合位置でロックバー４を解放するように設けられる。解除操作部材１３は、常時位置において外方端部が本体２から突出し、本体２内へ押し込まれた動作位置においてストッパ部材１２を非係合位置へ移動させる。
【発明の効果】
【０００６】
本発明のバーロック装置１は、ロックバー４を差し込んだら、拘束位置で仮拘束されるので、片手でキー８の施解錠操作を行うことができ、また解錠してもロックバー４が拘束位置に保持されるので、いきなりロックバー４が飛び出すことがなく、操作性が向上するという効果を有する。
【図面の簡単な説明】
【０００７】
【図１】本発明の実施形態に係るバーロック装置の斜視図である。
【図２】図１のバーロック装置の平面図である。
【図３】図１のバーロック装置の平面図である。
【図４】図１のバーロック装置のロックバー挿入状態の平面図である。
【図５】図４のＶ−Ｖ断面図である。
【図６】図３のＶＩ−ＶＩ断面図である。
【図７】図１のバーロック装置におけるストッパ部材を示すもので、（Ａ）は正面図、（Ｂ）は断面図である。
【発明を実施するための形態】
【０００８】
本発明の実施の形態を図面を参照して説明する。
バーロック装置１は、矩形金属ブロックからなる本体２と、本体２の挿入孔３に抜き差しされるロックバー４とを具備する。金属丸棒からなるロックバー４は、本体２の挿入孔３に差し込まれた拘束位置（図４，５）と、抜け出した非拘束位置（図１〜３）との間を抜き差し自在で、拘束位置において本体２内に配置される環状の係合凹部５を先端側の外周に具備する。
【０００９】
拘束位置にあるロックバー４の係合凹部５にロータ６が交差するように、錠機構7が本体２に組み込まれる。ロータ６は、図４，５に示す施錠位置においてその一部である係合部６ａが挿入孔３内に張り出して、係合凹部５に係合し、ロックバー４を拘束する。ロータ６は、図２，３に示す解錠位置において平坦部６ｂが挿入孔３に対面し、ロックバー４の挿入を許容し、また拘束されていたロックバー４を解放する。
【００１０】
キー８は、錠機構７に対して図４，５に示す施錠位置においてのみ抜き差し可能である。施錠位置においてキー８を錠機構７に挿入してロータ６を施錠位置と解錠位置（図２，３）との間で回転操作することができる。
【００１１】
挿入孔内３には、ロックバー４を非拘束位置へ付勢する付勢機構９が設けられる。付勢機構９は、解錠位置においてロータ６によって拘束されていないロックバー４を挿入孔３から押し出す。付勢機構９の具体的構成は、特許文献１に記載のものと同等であるから説明を省略する。
【００１２】
したがって、図１〜３に示すように、錠機構７が解錠位置にあるとき（キーが挿入されているとき）ロックバー４を付勢機構９の付勢力に抗して本体２の挿入孔３に挿入する。ロックバー４を所定位置（拘束位置）まで挿入すると、係合凹部５がロータ６に対面する。この状態で、キー８によってロータ６を図４，５に示す施錠位置まで９０°回転させると、ロータ６の係合部６ａが係合凹部５に係合してロックバー４が拘束される。この状態で、キー８を錠機構７から抜き取ることができる。
【００１３】
ロックバー４が拘束位置にあるとき、キー８を錠機構７に挿入して、施錠操作と逆方向（図４において反時計方向）にロータ６を９０°回転させると、係合部６ａが係合凹部５から外れ、ロータ６によるロックバー４の拘束が解除され、ロックバー４が解放される。
【００１４】
以上の構成及びその作用は、特許文献１に記載のバーロック装置と同等である。
【００１５】
図示の実施形態のバーロック装置１は、さらに、ロックバー４を拘束位置に仮保持して片手でキー８による施解錠操作を可能とする仮止め機構１０を具備する。
【００１６】
仮止め機構１０は、ロックバー４の外周に設けられた仮止め凹部１１と、拘束位置でこの仮止め凹部１１に係合してロックバー４を拘束するように本体２内に組み込まれたストッパ部材１２と、ストッパ部材１２による拘束を解除するように本体２に組み込まれた解除操作部材１３とを含む。
【００１７】
ストッパ部材１２は、係合位置と非係合位置との間を挿入孔３の軸線直交方向（図３，図５において上下方向）に移動自在で、上方の係合位置に付勢され、拘束位置にあるロックバー４の仮止め凹部１１に自動的に係合し、下方の非係合位置においてロックバー４を解放するように設けられる。
【００１８】
図６，図７によく示すように、ストッパ部材１２は、金属薄板材で構成され、挿入孔３の途上を軸線直交方向に横断するように、本体２に形成されたすり割り空間１４内に配置される。ストッパ部材１２は、ロックバー４を貫通させるための中央部の開口１５と両縁の下向きばね受け片１６と、開口１４の下縁から斜め上方へ突出する係合爪１７とを具備し、ばね受け片１６に係合するばね１８により上方の係合位置に付勢される。
【００１９】
したがって、ロックバー４が挿入孔３に挿入されるとき、ロックバー４の先端部に係合爪１７が摺接し、ばね１８に抗してストッパ部材１２を非係合位置へ下降させ、ロックバー４の進路を開く。ロックバー４が拘束位置まで挿入されると、係合爪１７が仮止め凹部１１に対面してばね１８の付勢力でストッパ部材１２が係合位置へ上昇し、図5に示すように、係合爪１７が仮止め凹部１１に係合する。これにより、ロックバー４は、拘束位置に仮保持される。
【００２０】
解除操作部材１３は、下端フランジ付きの円柱状部材で、本体２の上面に開口して挿入孔３の上端に達する垂直方向の段付き丸孔１９内に上下動自在に組み込まれる。解除操作部材１３は、下端がストッパ部材１２の上端に当接し、上端部が本体２の上方へ突出している。解除操作部材１３が上方の常時位置から下方の動作位置へ押し込まれると、ストッパ部材１２が非係合位置へ押し下げられ、ロックバー４の仮止め凹部１１に係合していた係合爪１７が仮止め凹部１１から外れ、ロックバー４が解放される。
【００２１】
したがって、このバーロック装置１においては、ロックバー４が拘束位置まで挿入されると、仮止め機構１０により仮保持されるので、片手でキー８による施錠操作を行うことができる。解錠時には、キー８の操作でロータ６によるロックバー４の拘束を解いた上で、解除操作部材１３を押し下げて、付勢力でロックバー４を挿入孔３から突出させる。
【符号の説明】
【００２２】
１    バーロック装置
２    本体
３    挿入孔
４    ロックバー
５    係合凹部
６    ロータ
６ａ  係合部
６ｂ  平坦部
７    キー
８    錠機構
９    付勢機構
１０  仮止め機構
１１  仮止め凹部
１２  ストッパ部材
１３  解除操作部材
１４  すり割り空間
１５  開口
１６  ばね受け片
１７  係合爪
１８  ばね
１９  段付き丸孔
【要約】
【課題】片手で施解錠操作が行えるバーロック装置を提供する。
【解決手段】バーロック装置１は、ロックバー４を拘束位置に仮保持して片手でキー８による施解錠操作を可能とする仮止め機構１０を具備する。仮止め機構１０は、ロックバー４の仮止め凹部１１と、拘束位置で仮止め凹部１１に係合してロックバー４を拘束するストッパ部材１２と、ストッパ部材１２の拘束を解除する解除操作部材１３とを含む。ストッパ部材１２は、係合位置に付勢され、拘束位置にあるロックバー４の仮止め凹部１１に自動的に係合し、非係合位置でロックバー４を解放する。解除操作部材１３は、外方端部が本体２から突出し、本体２内へ押し込まれた動作位置でストッパ部材１２を非係合位置へ移動させる。
【選択図】図３【図１】
0006917500.tif 000002
【図２】
0006917500.tif 000003
【図３】
0006917500.tif 000004
【図４】
0006917500.tif 000005
【図５】
0006917500.tif 000006
【図６】
0006917500.tif 000007
【図７】
0006917500.tif 000008